(57)【要約】【課題】燃焼時の火力に影響されることなく被調理物に対して均一な温度分布を得て焼きむらを極めて小とすることができ、燃料ガスの消費量を低減することができるグリルを提供する。【解決手段】グリル庫の上部に、バーナ本体１０と、バーナ本体１０の左右端部に沿って設けられて所定間隔を存して互いに平行にグリル庫の前後方向に帯状に延びる一対の第１燃焼面１３，１４と、両第１燃焼面１３，１４の間でグリル庫の左右方向に帯状に延びて両第１燃焼面１３，１４を繋ぐ第２燃焼面１５とを備えるグリルバーナ５を設ける。第２燃焼面１５は、両第１燃焼面１３，１４の長さ方向の中央部より前方位置において両第１燃焼面１３，１４に連設する。【選択図】図２
2006109862.tif 000002
【特許請求の範囲】
【請求項１】
内部に被調理物を収容するグリル庫と、該グリル庫の前端部に設けられて該グリル庫内への被調理物の出し入れ時に開閉されるグリル扉と、グリル庫の上部に設けられて被調理物を上方から加熱するグリルバーナとを備えるグリルにおいて、
前記グリルバーナは、バーナ本体と、該バーナ本体の左右端部に沿って設けられて所定間隔を存して互いに平行にグリル庫の前後方向に帯状に延びる一対の第１燃焼面と、両第１燃焼面の間でグリル庫の左右方向に帯状に延びて両第１燃焼面を繋ぐ第２燃焼面とを備え、
該第２燃焼面は、両第１燃焼面の長さ方向の中央部より前方位置において両第１燃焼面に連設されていることを特徴とするグリル。
【請求項２】
前記第２燃焼面は、その長さ方向の中央部が後方に向かって屈曲する形状であることを特徴とする請求項１記載のグリル。
【請求項３】
前記グリルバーナは、表面燃焼式バーナであって、前記第１燃焼面及び前記第２燃焼面は、多数の炎孔が形成されて表面燃焼を行うセラミック燃焼板により構成されていることを特徴とする請求項１又は２記載のグリル。
【発明の詳細な説明】
【技術分野】
【０００１】
本発明は、本発明は、魚等の被調理物を加熱するためにテーブルコンロ等に設けられるグリルに関する。
【背景技術】
【０００２】
テーブルコンロ等に設けられるグリルは、グリル庫内の上部にグリルバーナを備えており、グリル庫内に収容された被調理物はその上部のグリルバーナにより加熱調理される。この種のグリルバーナは、被調理物に対向する下面側に燃焼面を備えており、燃焼面は多数の小炎孔が形成された燃焼板によって構成されている。
【０００３】
ところで、グリルバーナの燃焼面が下面全面に設けられているものにおいては、熱量が過剰に大きくなるために、被調理物の表面の焼き上がり速度が被調理物の内部よりも早く、良好に調理することが難しい不都合があった。
【０００４】
そこで、グリル庫の前後方向に平行に延びる一対の第１燃焼面と、両第１燃焼面の前端同士を繋ぐようにしてグリル庫の左右方向に延びる第２燃焼面とによりコ字形に形成された燃焼面を備えるグリルバーナが知られている（特許文献１参照）。これによれば、燃焼面が下面全面に設けられているものに比べて熱量が過剰となることが防止できる。しかも、グリル庫の後部の混合管側に比べて燃焼面の温度が低くなる傾向にあるグリル庫の前側のグリル扉側に第２燃焼面が位置することにより、被調理物に対する温度分布の不均一が防止でき、被調理物の焼きむらを小とすることができる。
【０００５】
しかし、両第１燃焼面の前端同士を繋ぐ第２燃焼面を設けても、弱火による調理を行った場合には、第２燃焼面による熱量の低下が著しく、均一な温度分布が維持できなくなる不都合がある。そこで、第２燃焼面を第１燃焼面とは別のバーナにより構成し、第２燃焼面の火力を第１燃焼面よりも大とするように各別に制御を行って温度低下を補うことが考えられるが、複数のバーナを設けることにより構造や制御が複雑になりコストが増加するだけでなく、第２燃焼面の火力を大とすることで燃料ガスの消費量も増加する不都合がある。
【特許文献１】特開２００１−７０１７９号公報（図１）
【発明の開示】
【発明が解決しようとする課題】
【０００６】
かかる不都合を解消して、本発明は、コスト増加させることなく、被調理物に対して均一な温度分布を得て焼きむらを極めて小とすることができ、しかも燃料ガスの消費量を低減すことができるグリルを提供することを目的とする。
【課題を解決するための手段】
【０００７】
かかる目的を達成するために、本発明は、内部に被調理物を収容するグリル庫と、該グリル庫の前端部に設けられて該グリル庫内への被調理物の出し入れ時に開閉されるグリル扉と、グリル庫の上部に設けられて被調理物を上方から加熱するグリルバーナとを備えるグリルにおいて、前記グリルバーナは、バーナ本体と、該バーナ本体の左右端部に沿って設けられて所定間隔を存して互いに平行にグリル庫の前後方向に帯状に延びる一対の第１燃焼面と、両第１燃焼面の間でグリル庫の左右方向に帯状に延びて両第１燃焼面を繋ぐ第２燃焼面とを備え、該第２燃焼面は、両第１燃焼面の長さ方向の中央部より前方位置において両第１燃焼面に連設されていることを特徴とする。
【０００８】
本発明によるグリルバーナの燃焼面は、前記一対の第１燃焼面と、第１燃焼面の長さ方向の中央部より前方位置において両第１燃焼面に連設された前記第２燃焼面とを備える。即ち、グリルバーナは第１燃焼面及び第２燃焼面により略Ｈ字状の燃焼面を備えている。このように、前記第２燃焼面が、グリル庫前側のグリル扉近傍に比して温度が高くなり易い両第１燃焼面の前端よりも後方側（グリル庫の内方）に位置するので、第２燃焼面の温度低下が防止でき、例えば、弱火であっても十分な熱量を得ることができ、燃料ガスの消費量を低減することができる。また、第２燃焼面よりも前方には、両第１燃焼面の前端部が延出しているので、グリル扉近傍の温度低下も防止することができる。これにより、燃焼時の火力に影響されることなく被調理物に対して均一な温度分布を得て焼きむらを極めて小とすることができ、しかも、単一のグリルバーナでよいのでコストの増加も抑えることができる。
【０００９】
更に、第２燃焼面は、両第１燃焼面の長さ方向の中央部より前方位置において両第１燃焼面に連設されているので、グリル庫内中央部の熱量が過剰に大となることが防止でき、しかも、第２燃焼面からグリル扉近傍への熱も十分に得ることができる。なお、発明者が各種の試験を行った結果、第２燃焼面は、両第１燃焼面の長さ方向の中央部より前方であって両第１燃焼面の長さの約１／３の位置が最も均一で良好な温度分布が得られることを知見している。
【００１０】
また、本発明において、前記第２燃焼面は、直線状に延設されてもよいが、それ以外に、第２燃焼面は、その長さ方向の中央部が後方に向かって屈曲する形状、即ち、第２燃焼面が、くの字形に屈曲し、その屈曲する部分がグリル庫の内方に向いている形状であってもよい。これによれば、第２燃焼面の両端部（両第１燃焼面との接続部分）をグリル庫前方のグリル扉近傍に位置させて、グリル扉近傍の温度低下を十分に防止でき、しかも、第２燃焼面の中央部においては、比較的温度の高いグリル庫内方にあるので、第２燃焼面による十分な熱量を維持することができる。
【００１１】
また、本発明において、前記グリルバーナは、表面燃焼式バーナであって、前記第１燃焼面及び前記第２燃焼面は、多数の炎孔が形成されて表面燃焼を行うセラミック燃焼板により構成されていることを特徴とする。前記第１燃焼面及び前記第２燃焼面を前記セラミック燃焼板により構成して表面燃焼を行うことにより、前記第１燃焼面及び前記第２燃焼面への着火直後から安定性の高い燃焼炎を得ることができ、効率の良いグリル調理を行うことができる。また、セラミック燃焼板は赤外線としての輻射効果が安定して得られるので、セラミック燃焼板を用いて前記第１燃焼面及び前記第２燃焼面を構成することにより良好な熱分布を形成して焼きむらのないグリル調理を行うことができる。更に、セラミック燃焼板を用いて前記第１燃焼面及び前記第２燃焼面を構成することによりグリルバーナの構造を簡単とすることができ、グリルバーナを安価に製造することができる。
【発明を実施するための最良の形態】
【００１２】
本発明の一実施形態を図面に基づいて説明する。図１は本実施形態のグリルを示す説明図、図２はグリルバーナの説明的底面図、図３は他の形態のグリルバーナを示す説明的底面図である。
【００１３】
図１に示すように、本実施形態のグリル１はテーブルコンロ２に設けられて魚等の被調理物３を加熱調理するものである。グリル１は、内部に被調理物３を収容するグリル庫４と、グリル庫４の上部に設けられたグリルバーナ５と、グリルバーナ５の下方位置に被調理物３を載置する焼き網６とを備えている。焼き網６は受け皿７上に載置され、受け皿７はグリル庫４の前方から引き出し自在に設けられている。受け皿７の前端にはグリル庫４の前方を開閉するグリル扉８が設けられている。グリル庫４の後側には、グリル庫４の燃焼排気を外部に導出する排気路９が設けられている。
【００１４】
グリルバーナ５は、図１に示すように、板金製のバーナ本体１０と、該バーナ本体１０の下面に設けられた燃焼部１１と、バーナ本体１０の後部に延設された混合管１２とを備えている。バーナ本体１０は、中空偏平な矩形状に形成されており、その中空の内部が燃料ガスと空気との混合気室となっている。燃焼部１１は、図２に示すように、バーナ本体１０の左右端部に沿って設けられた一対の第１燃焼面１３，１４と、両第１燃焼面１３，１４を繋ぐ第２燃焼面１５とを備えている。第１燃焼面１３，１４及び第２燃焼面１５は、多数の炎孔が形成されたセラミック燃焼板により構成されている。また、混合管１２は、その端部に燃料ガスを供給するガス管１６の先端に設けられたガス噴射ノズル１７を支持するノズル支持部１８を備え、混合管１２の端部に形成された吸入口１９から、燃料ガスと一次空気とが吸入される。
【００１５】
ここで、第１燃焼面１３，１４及び第２燃焼面１５について更に詳しく説明する。第１燃焼面１３，１４は、図２に示すように、互いに平行に延びる帯状に形成されている。第２燃焼面１５は、第１燃焼面１３，１４の間で帯状に延びており、第１燃焼面１３，１４の長さ方向の中央部より前方（グリル庫への装着時に前部となる側）に位置している。これによって、第１燃焼面１３，１４及び第２燃焼面１５による燃焼面全体の形状が略Ｈ字状に形成されている。
【００１６】
こうすることで、先ず、グリル庫４の前部に位置するグリル扉８（図１参照）等からグリル庫４内に吸入される空気を、第２燃焼面１５より前方に延出する第１燃焼面１３，１４の前端部１３ａ，１４ａにより加熱することができ、グリル庫４の前側の温度低下が防止される。
【００１７】
一方、第２燃焼面１５は、第１燃焼面１３，１４間を繋いでいるので、点火の際に一方の第１燃焼面１３から他方の第１燃焼面１４への火移りを円滑に行わせることができる。また、第２燃焼面１５は、第１燃焼面１３，１４の前端と中央との間に位置するので、グリル庫４の前側の温度低下の影響を受けにくく、火力が小であっても十分な熱量を得る燃焼を維持することができる。しかも、第２燃焼面１５は、比較的高い燃焼温度が得られる第１燃焼面１３，１４の中央部の影響を受けて、火力が小であっても十分な熱量が得られてグリル庫４の前側を加熱することができる。このように、第２燃焼面１５を、両第１燃焼面１３，１４の長さ方向の中央部より前方位置において両第１燃焼面１３，１４に連設したことで被調理物３に対する温度分布をグリル庫４内において均一に形成することができ、火力の大小にかかわらず被調理物３の焼きむらを防止することができる。更に、比較的小さな火力で均一な温度分布が維持できるので、燃料ガスの消費量を抑えて被調理物３を効率よく加熱することができる。
【００１８】
なお、第２燃焼面１５を設ける位置については、第１燃焼面１３，１４の長さ方向の中央部より前方位置とすることで前述の効果を得ることができるが、発明者の各種の試験によれば、第２燃焼面１５は、両第１燃焼面１３，１４の前端側において、両第１燃焼面１３，１４の長さの約１／３となる位置で両第１燃焼面１３，１４に連設することが好ましいことを知見している。これによれば、第２燃焼面１５を両第１燃焼面１３，１４の１／３の位置より前端側に近接させたときに比べて、第２燃焼面１５がグリル庫４の前側の温度低下の影響を受けにくくなり、第２燃焼面１５の火力を大とすることなく被調理物３を加熱する効率の低下を防止できる。また、第２燃焼面１５を両第１燃焼面１３，１４の１／３の位置より中央側に近接させたときに比べて、第２燃焼面１５の熱をグリル庫４の前側に伝達させることができると共に中央部の熱量が過剰となって被調理物３に焼きむらが生じることを防止できる。
【００１９】
また、図示しないが、第２燃焼面１５を両第１燃焼面１３，１４の１／３の位置より中央側に近接させる場合には、両第１燃焼面１３，１４の中央部の所定範囲において炎孔の数を減らし、第２燃焼面１５によって増加する分の燃焼量を調節してもよい。
【００２０】
また、本実施形態においては、図２に示すように、第２燃焼面１５を直線状に形成したものをしめしたが、それ以外に、図３に示すように、第２燃焼面２０の長さ方向の中央部を後方に向かってくの字形に屈曲させてもよい。該屈曲部２１を設けることにより、第２燃焼面２０の両第１燃焼面１３，１４に連結する両端部２０ａ，２０ｂをグリル庫４の前方のグリル扉８に近接させることができ、グリル庫４の前側の温度低下を十分に防止することができる。しかも、第２燃焼面２０の屈曲部２１においては、比較的温度の高いグリル庫４内方に位置しているので、第２燃焼面２０の燃焼が円滑に行われて十分な熱量を維持することができる。
【図面の簡単な説明】
【００２１】
【図１】本発明の一実施形態のグリルを示す説明図。
【図２】グリルバーナの説明的底面図。
【図３】他の形態のグリルバーナを示す説明的底面図。
【符号の説明】
【００２２】
３…被調理物、４…グリル庫、８…グリル扉、５…グリルバーナ、１０…バーナ本体、１３，１４…第１燃焼面、１５，２０…第２燃焼面、２１…屈曲部。
【図１】
2006109862.tif 000003
【図２】
2006109862.tif 000004
【図３】
2006109862.tif 000005